(57)【特許請求の範囲】
【請求項１】
工作機械案内テーブル面上を移動し得ると共に適宜の位置に固締され得る心押台本体（１）と、該心押台本体に軸線回りに回転自在且つ軸線方向に滑動自在に嵌合されると共に適宜の位置で押付け支持され得る第一心押軸（３ａ）と、該第一心押軸の外側を僅かな隙間を持って囲繞する第二心押軸（３ｂ）と、前記第一心押軸（３ａ）の先端に、大略同一鉛直平面上にある位置関係で前記第一心押軸（３ａ）の回転軸芯（Ｏ２）に対しセンタ中心軸芯（Ｏ１）が偏心して装着されたセンタ（５）と、前記第二心押軸（３ｂ）の軸芯（Ｏ１）後方部に設けられたセンタ前退進機構（２１）であってこのセンタ前退進機構は前記第一心押軸（３ａ）と第二心押軸（３ｂ）を同時に主軸台方向に前退進させることが可能な第一センタ前退進機構（６０）と、前記第二心押軸（３ｂ）は前退進させないが前記第一心押軸（３ａ）のみを前退進させる第二センタ前退進機構（７０）と、前記第一心押軸（３ａ）に基端が固着され、上下方向に伸びる揺動杆（１８）及び該揺動杆の揺動下端部を揺動方向に変位させるシャフト（２１）を回動目盛ダイヤル（１１）の後部に設けた前記第一心押軸（３ａ）を回転させる前後テーパ調整機構（５０）、とを備えたテーパ調整機構付き心押台（１）。
【発明の詳細な説明】
【技術分野】
【０００１】
本発明は、円筒研削装置や旋盤などの工作機械に備えられるテーパ調整機能付き心押台（Taper adjustable tailstock）に関する。この心押台は、寸法が異なったワークを先の機械加工されたワークと取り替えて機械加工する際に生じるセンタ軸芯と心押軸芯の前後方向のテーパの偏りを心押軸の回動により修正可能である。
【背景技術】
【０００２】
円筒研削装置の心押台においては、ワーク（被研削加工物）の長さが変わる都度、心押台はワークの長さに応じて主軸に対する位置を変えるために案内テーブル面上でスライド（滑動）して移動される。よって、案内テーブル面をスライドする心押台本体の下面は磨耗する。その結果、心押台におけるセンタの高さ位置が変化してワーク軸線が傾き、加工精度に悪い影響を及ぼす。
【０００３】
このセンタ軸芯と心押軸芯の高さ方向のテーパの偏りを心押軸の回動により調整する心押台として、ワークの長さに応じて、心押台本体を工作機械の案内テーブル面上を移動して適宜の位置に固締し、該心押台本体に滑動駒と回動腕とで軸線回りに回転自在且つ軸線方向に滑動自在に嵌合されると共に適宜の位置に固締され得る心押軸の先端のセンタと主軸との間で工作物を保持し、心押台本体の案内テーブル上移動により生じた摩耗に基づき低下したセンタの高さ位置の補償調節は同一水平面上にある位置関係で心押軸の回転軸線に対し中心軸線を偏心してセンタを装着した心押軸に基端が固着され、半径方向に伸びる揺動腕の揺動端部をねじ機構で揺動方向に変位させることにより心押軸を回転させる心押台が提案され、実用化されている（例えば、特許文献１参照。）。
【０００４】
一方、寸法が異なったワークを先の機械加工されたワークと取り替えて機械加工する際に生じるセンタ軸芯と心押軸芯の前後方向テーパの偏りを心押軸の回動により修正可能とした心押台も提案されている。例えば、心押台の内部で心押軸に一体的にアームが半径方向に突設されており、この心押軸の先端にセンタを心押軸の中心に対して偏心して嵌着するとともに、前記アームの先端は一対の揺動リンクに軸支した押付ローラと支持ローラとにより把持されている。前記一対の揺動リンクは押圧ローラと支持ローラとで心押台に軸支されている。押付ローラが軸支された揺動リンクはスプリングによりアーム側に付勢され、他方の揺動リンクはＬ形をし、屈曲点が心押台に軸支され他端が調整軸とピンにより係合連結されている。よって、調整軸の進退により屈曲点を支点にして揺動リンクが作動することで、支持ローラを介してアームが動かされ、心押軸が軸線回りに回転してテーパ調整が可能な心押台である（例えば、特許文献２参照。）。
【０００５】
この特許文献２に記載の心押台は組み立てが困難であるので、心押台本体に進退ならびに回転自在に支持された心押軸と、この心押軸の先端に心押軸の中心軸に対し偏心して嵌着されたセンタと、前記心押台外部に突出した前記心押軸の後端に取り付けられたウォームホイールと、前記ウォームホイールと噛合するウォームを持った調整軸と、前記心押軸に心押軸の回転のみ許容して支持され前記調整軸を支持する連結ブロックと、前記連結ブロックと前記ウォームホイールとの間に介挿されてそれぞれに端部が固定され前記ウォームホイールに回転力を付与するトーションバネと、前記心押台に設置され前記連結ブロックを心押台に対して進退させるシリンダを備えたことを特徴とするテーパ調整機能付き心押台も提案されている（例えば、特許文献３参照。）。
【０００６】
また、心押軸にその軸線に対し偏心するセンタ孔を形成し、心押軸を軸線周りで正逆回動する軸線周り駆動手段（ステップモータ）と、心押軸を軸線方向に前後進する軸線方向駆動手段(油圧シリンダ)と、心押軸の前後進ストロークよりも長いラックを心押軸に設け、前記軸船周り駆動手段の回転軸船上にウォームを偏心支持し、そのウォームをリード角だけ傾けて前記ラックに噛み合わせ、心押軸の前後進を拘束しないようにしたテーパ補正心押台も知られている（例えば、特許文献４参照。）。
【０００７】
更に、心押台本体と、心押台本体に回動可能に支持されたスリーブと、スリーブを駆動する手段と、スリーブの回動中心に対し偏心して設けられた偏心孔と、偏心孔にサーボモータで回動及び油圧シリンダで摺動可能に嵌挿された心押軸と、心押台本体に心押軸と平行に延びるように設けられた断面略楕円形のガイド孔と、ガイド孔に遊挿され心押軸に対し接近離間する方向に平行移動可能なガイド軸と、ガイド軸及び心押軸の前端を連結するフランジと、心押軸の中心から反ガイド軸側に偏倚した位置でフランジに突設されたセンタとからなるオフセット心押台も提案されている（例えば、特許文献５参照。）。
【０００８】
また更に、ベッドの案内に沿って移動されるベースと、センタを装着する本体とによって構成される心押台であって、センタ装填孔を偏心位置に形成した偏心ラム軸を前記本体のハウジングに回転自在に配設した芯高調整手段と、前記本体と前記ベースとの間に弾性体を介在させて前記本体を水平かつ前記センタの軸芯に対して直角方向へ付勢するとともに、前記ベースおよび前記本体のうちの一方に調整ボルトを螺合させ、前記ベースおよび前記本体のうちの他方に前記調整ボルトを当接させた前後調整手段を備える工作機械の心押台も知られている（例えば、特許文献６参照。）。
【０００９】
心押台本体の下部のタブテーブル溝を案内テーブル上に左滑走（スライド）させて心押台のセンタ軸を主軸台側に近づけてワークをワーク軸芯方向に回動可能に固定し、右滑走させてワークを主軸台より取り外すセンタ軸の左右方向移動させる心押軸の移動機構として、前記特許文献１は、心押台本体の頭上に設けた締付けハンドルを時計回りに回転させ、押付け支持杆を介して回動腕を時計回りに旋回させることにより、滑動駒の前進と接触部の滑動駒の勾配面部への乗り上げを行い、滑動駒と回動腕とをロックした状態にして心押軸を後退端位置に固定して主軸とセンタとの間から工作物を取り出すことを提案する。
【００１０】
また、前記特許文献３はセンタを内挿する心押軸を心押軸下方に設けた油圧シリンダの駆動により前進後退させる心押軸の移動機構を開示する。また、前記特許文献４はセンタを内挿する心押軸を心押軸後方に設けた油圧シリンダの駆動により前進後退させる心押軸の移動機構を開示する。
【００１１】
さらに、センタを内挿する心押軸を心押軸後方に設けたサーボモータ駆動ボールネジの駆動により前進後退させる心押台も提案されている（例えば、特許文献７参照。）。
【００１２】
【特許文献１】特開平１１−１９８０６号公報
【特許文献２】実開昭５６−１２１５０１号公報
【特許文献３】特開平６−４７６０４号公報
【特許文献４】特開平４−２６９１０２号公報
【特許文献５】特開平１０−３４４０３号公報
【特許文献６】特開２００１−１７０８０３号公報
【特許文献７】特開２００２−６６８０５号公報
【発明の開示】
【発明が解決しようとする課題】
【００１３】
円筒研削装置や旋盤の主軸台の主軸と心押台のセンタ間にワークを支持し、ワークを機械加工する際、先の機械加工されたワークの寸法（長さや太さ）とこのワークと取り替えられた新しく機械加工するワークの寸法が異なる場合、センタの左右方向の移動およびツール（砥石）台の前後移動が行われる。この新しいワークの取り換えにより前述したセンタ軸芯と心押軸芯との間に前後方向のズレが生じるので、この心押軸を回動させて心押軸芯をセンタ軸芯に合わせる前後テーパ調整が必要とされる。
【００１４】
円筒研削装置や旋盤のワークテーブルの長さは、機械加工されるワークの寸法によりその長さを制限されている。また、従来の心押台の心押軸固定手段においては、心押台のセンタ突出のストロークが長くなると異形のワークを加工する際、ワークの重心のずれによる回転振れでワークの加工精度が悪くなる。よって、心押軸頭部から突出しているセンタ長さは短い方がよい。
【００１５】
また、ワークを心押台センタと主軸台主軸間から取り外す際、特許文献１に記載の心押台では、締め付けレバーハンドルを右手で回動させてセンタを１０〜５０ｍｍ後退させ、拘束が解かれつつあるワークを左手で支える操作が作業者行うことができるので便利である。しかし、長さ寸法の異なる長いワークに交換するとき、センタを前退進させるには、センタを内挿する心押軸を心押軸後方にセンタ前退進機構を設けた心押台の方が特許文献１に記載の締め付けレバーハンドルで行う心押台よりも素早くワークの交換ができる利点がある。
【００１６】
前記特許文献３の心押軸下方にセンタ前退進機構を設け、ウォームとウォームホイールよりなる前後テーパ調整機構を設ける心押台に、前記特許文献４のセンタを内挿する心押軸を心押軸後方に設けた心押軸の移動機構を設けようとすると、ウォームとウォームホイールの存在が邪魔となる。
【００１７】
本発明は、２つのセンタ前退進機構を設けてワークの取り外しおよび寸法の異なったワークの取り付けを容易とし、太さ寸法の異なったワークの交換時の前記センタ軸芯と心押軸芯の前後テーパの調整は、前記特許文献１に記載のセンタの高さ位置補償調節装置を前後テーパ調整機構に改造して備えた心押台を提供するものである。
【課題を解決するための手段】
【００１８】
請求項１の発明は、工作機械案内テーブル面上を移動し得ると共に適宜の位置に固締され得る心押台本体（１）と、該心押台本体に軸線回りに回転自在且つ軸線方向に滑動自在に嵌合されると共に適宜の位置で押付け支持され得る第一心押軸（３ａ）と、該第一心押軸の外側を僅かな隙間を持って囲繞する第二心押軸（３ｂ）と、前記第一心押軸（３ａ）の先端に、大略同一鉛直平面上にある位置関係で前記第一心押軸（３ａ）の回転軸芯（Ｏ２）に対しセンタ中心軸芯（Ｏ１）が偏心して装着されたセンタ（５）と、前記第二心押軸（３ｂ）の軸芯（Ｏ１）後方部に設けられたセンタ前退進機構（２１）であってこのセンタ前退進機構は前記第一心押軸（３ａ）と第二心押軸（３ｂ）を同時に主軸台方向に前退進させることが可能な第一センタ前退進機構（６０）と、前記第二心押軸（３ｂ）は前退進させないが前記第一心押軸（３ａ）のみを前退進させる第二センタ前退進機構（７０）と、前記第一心押軸（３ａ）に基端が固着され、上下方向に伸びる揺動杆（１８）及び該揺動杆の揺動下端部を揺動方向に変位させるシャフト（２１）を回動目盛ダイヤル（１１）の後部に設けた前記第一心押軸（３ａ）を回転させる前後テーパ調整機構（５０）、とを備えたテーパ調整機構付き心押台（１）を提供するものである。
【発明の効果】
【００１９】
本発明の心押台は、センタ軸を内挿する第一心押軸を工作機械の主軸台方向に前退進できる２つの異なったセンタ前退進機構を心押台に設けることによりワークの取り外しを容易とし、および、寸法の異なったワークに交替するときのワークの取り付けを迅速に行うことができる。
【００２０】
太さが異なったワークに取り替え、これを機械加工させる際に生じるセンタ軸芯と第一心押軸芯との前後変位は、前後テーパ調整機構により第一心押軸を回動することによりセンタ軸芯の鉛直方向変位成分を補償することができる。
【発明を実施するための最良の形態】
【００２１】
以下、図を用いて本発明をさらに詳細に説明する。図１は心押台の一部を切り欠いた正面図、図２はその心押台の左側面図、図３は心押台の平面断面図で、図２においてＡ−Ａ線方向から見た図である。図４は心押台の平面図、図５は心押台の背面図で図４においてＢ−Ｂ線方向から見た図である。図６は心押台のセンタ傾斜調整（前後テーパ調整）機構の断面図で図４においてＣ−Ｃ切断線から見た図である。図７は心押台本体の案内テーブル上スライド機構の要部を示す図で、図４においてＤ矢の方向から見た一部を切り欠いた心押台右側面図である。
【００２２】
図２および図５に示すように、例えば円筒研削装置の心押台本体１の下面には案内テーブル３０面をスライド(滑動)するダブテール溝面２が形成され、上部片側には心押軸３が心押軸芯Ｏ２回りに回転自在且つ心押軸芯Ｏ２方向に滑動自在に嵌合している貫通孔４が形成されている。図１および図３に示すように、心押軸３は前記心押台本体１に第一心押軸芯Ｏ２回りに回転自在且つ軸芯方向に滑動自在に嵌合されると共に適宜の位置で押付け支持され得る第一心押軸３ａと、該第一心押軸３ａの外側を８〜１２μｍと僅かな隙間を持って囲繞する内壁面に冷却油流通孔４０を有する第二心押軸３ｂとで構成され、前記第一心押軸３ａの先端に、大略同一鉛直平面上にある位置関係で前記第一心押軸３ａの回転軸芯Ｏ２（第一心押軸芯）に対しセンタ中心軸芯Ｏ１が偏心して装着されたセンタが第一心押軸３ａの先端に偏心して装着されている。通常位置において、センタ５の中心軸芯Ｏ1 と第一心押軸３ａの回転軸芯Ｏ2 とは、第一心押軸３ａの回転によるセンタ５の中心軸芯Ｏ1 の上向き変位成分が大きいような大略同一水平面上にある位置関係が好ましい。４１はスクレーバである。
【００２３】
図１、図３および図４に示すようにセンタ５の左端突出部は、前記第二心押軸３ｂの左にボルト３ｃで固定された中央が円筒空洞のキャップ３ｄにより被覆されている。図中、４２はオイルプラグ、４３はフックボルトである。センタ５の右後端にはドローバー５ａが軸方向に延びている。９０はＯ型蛇腹である。
【００２４】
図２に示すようにダブテール溝面２を形成する一側部は、フランジ９を介して袋ナット９ａにより案内テーブル３０側面のアリ溝に締め付けられ、案内テーブルの左右移動を可能としている。
【００２５】
図６および図７に示すように心押台本体１の外側ハウジング前側には、前後テーパ調整機構５０の回動目盛ダイヤル１１が設けられている。回動目盛ダイヤル１１の裏面には前後方向に伸びるシャフト２１が設けられている。このシャフト２１の先方側にはシャフト２１ａとシャフト２１ｂ間のシャフト円筒状凹陥部２１ｃが形成され、さらに、シャフト２１ｂの軸線延長右方向に滑りキィ１０が心押台機枠に設けられている。前記シャフト円筒状凹陥部２１ｃの凹部上方に揺動杆１８下部にピン１８ｃで固定されたカムロッド１８ａが嵌め込まれ、前記揺動杆１８の上端側に設けられたリンク（基端）１８ｂはその側端に設けられたスモールプランジャ２２によりバックフラッシュが防止されている。前記リンク１８ｂは第一心押軸３ａの外周にボルト１８ｄ，１８ｄ締めされている。
【００２６】
前記回動目盛ダイヤル１１を時計廻り方向に１目盛させるとシャフト２１はスラストローラ軸受１０ａとニードル軸受１０ｂに支持されて回動して心押台本体１後側に後退し、その回動力を前記カムロッド１８ａが受けて揺動杆１８を回動させ、第一心押軸３ａを回動させて第一心押軸３ａの回転軸芯Ｏ2 がセンタ５の中心軸芯Ｏ1 に１．０μｍ近づくように設定してある。よって、新しいワークの取り替え、第一心押軸３ａを１５０ｍｍ前進させてワークを主軸と心押台のセンタ５とで回転自在に固定したときの第一心押軸３ａの回転軸芯Ｏ2 とセンタ５の中心軸芯Ｏ1 の前後テーパ変位が３．０μｍのときは、前記回動目盛ダイヤル１１を時計廻り方向に三目盛回転させることにより３．０μｍの前後テーパ偏心が補償される。
【００２７】
次に、第二心押軸３ｂは前退進させないが第一心押軸３ａのみを前退進させる第二センタ前退進機構について説明する。図３および図４に示すように、心押台本体１の上側中央部には、軸線方向に第一心押軸３ａのみを主軸台方向（左方向）に前退進させる第二センタ前退進機構６０が設けられている。この第二センタ前退進機構６０は、軸線方向のばね孔１２が貫通し、ばね孔１２の前端（心押台本体の左側面）はノブ１３で閉塞され、このノブ栓１３の裏面側にはスプライン１５ａが左右方向に六角ボルト１３ａで固定されている。１３ｂはアイボルトである。スプライン１５ａの右側端には圧縮スプリング１５がナット１５ｂを介して連結され、圧縮スプリング後端には滑動駒１４が軸線方向滑動自在に嵌合しており、ノブ１３と滑動駒１４とに挟まれてばね孔１２には圧縮コイルばね１５が嵌装されている。従って、滑動駒１４は圧縮コイルばね１５のばね力により後退方向に付勢されている。そして、滑動駒１４の後端部の外周面には、軸線方向の勾配面部１４ａが形成されている。
【００２８】
心押台本体１の後壁部（心押台本体の右側面）から後方に突出し、後方開口の中空筒部６が形成されており、中空筒部６を上下方向に貫通する押付け支持杆７の両端が中空筒部６に回転自在に支持され、中空筒部６の上方に突出した押付け支持杆７の突出端には締付けハンドル８が取り付けられている。そして、中空筒部６内において押付け支持杆７には回動腕１６の中央部が固着され、回動腕１６の一端は、滑動駒１４の後端の勾配面部１４ａに接触し得る滑らかな円弧面が形成された接触部１６ａとなり、他端のボールジョイント１６ｂは、中空筒部６内に突出した第一心押軸３ａの後端部の外周面に開口した係合孔３ｅに第一心押軸３ａの多少の回転を許すように係合されている。
【００２９】
図２、図３および図４より理解されるように、前記押付け支持杆７の上端部はハンドルベース８ｃに回転可能に固定され、ハンドルベース８ｃには握り球８ａを頭部に有する締付けレバーハンドル８のアーム８ｂがＨトガリ８ｄにより固定される。第一心押軸３ａの後端部には、既述した揺動杆１８のリンク(基端)１８ｂが固着されている。
【００３０】
第一心押軸３ａの自由解放状態では、回動腕１６は、接触部１６ａが滑動駒１４の後端面に接触した状態にあるので、圧縮コイルばね１５のばね力により後退方向に付勢された滑動駒１４により、回動腕１６の図４における反時計回りの回動を介して、回動腕１６の端部に係合する第一心押軸３ａは突出前進するように弾性的に付勢されている。締付けハンドル８の反時計回りの回動（図４では、仮想線で示される締付けレバーハンドル８の位置から実線で示される締付けレバーハンドル８の位置への回動）により図３に示すようにセンタ５は右側から左側へと移動する。
【００３１】
そして、心押軸３を後退させるべく締付けレバーハンドル８を図４において時計回りに回転させることにより押付け支持杆７を回転させて回動腕１６を時計回りに旋回させると、第一心押軸３ａの後端部の外周面に開口した係合孔３ｅに嵌まっているボールジョイント１６ｂが後退し、回動腕１６の接触部１６ａは、滑動駒１４を圧縮コイルばね１５のばね力に抗して前進させ、やがて滑動駒１４の勾配面部１４ａに乗り上げて、回動腕１６の図３における時計回りの旋回が規制される。それにより滑動駒１４と回動腕１６とはロックされた状態となり，その結果、心押軸３が後退端位置（図３において右側に示されるセンタ５の位置）に固定される。
【００３２】
第一心押軸３ａの後退端位置の固定状態において、締付けハンドル８を図４において反時計回りに旋回させると、第一心押軸３ａの後端部の外周面に開口した係合孔３ｅに嵌まっているボールジョイント１６ｂが前進し、回動腕１６の図３における反時計回りに旋回し、回動腕１６の接触部１６ａは、滑動駒１４の勾配面部１４ａから離れ、それにより滑動駒１４と回動腕１６とはロックが解除され、滑動駒１４の後端面１６ｂに接触した状態になり、後退方向に付勢された滑動駒１４により回動腕１６の図３における反時計回りの回動を介して回動腕１６の端部に係合する第一心押軸３ａは前進するように弾性的に付勢される。
【００３３】
次に、第二心押軸３ｂとともに第一心押軸３ａを同時に前退進させる第一センタ前退進機構７０について説明する。図１、図４および図７において、７１は平型回転ハンドル、７２は取手、７３はハンドルカラー、７４は心押軸を左右に移動させるネジを回すクランプ、７５は後フランジ、７６はハンドルベース、７７は転送ボールネジ、７８はネジベース、７９は前フランジである。前記クランプ７４を時計方向に回すとネジがボールネジ７７を締め付ける、クランプ７４を反時計方向に回すとネジがボールネジ７７との係合を解消する。
【００３４】
平型回転ハンドル７１の取手７２を時計回りに回転させるとボールネジ７７が軸芯周りに回転し、心押軸３を前進させ、センタ５は図３の左端側に示されるセンタ５へと移動する。逆に、平型回転ハンドル７１の取手７２を反時計回りに回転させるとボールネジ７７が軸芯周りに回転し、心押軸３を後進させ、センタ５は図３の右端側に示されるセンタ５へと移動する。
【００３５】
第一センタ前退進機構７０は、前述の平型回転ハンドル７１とボールネジ７７の組み合わせの他に、油圧シリンダとソレノイドバルブの組み合わせ、サーボモータとボールネジの組み合わせであってもよい。
【００３６】
次に主軸とセンタ間に取り付けられるワークの取り外しおよびワークの交換について説明する。主軸とセンタ間に取り付けられたワークを取り外すには、ワーク下端を左手で支持し、右手で第二センタ前退進機構６０の締付けレバーハンドル８を時計回りに回転させることによりセンタ５を１５〜４０ｍｍ軸芯方向後退させてワークの両端の拘束を開放し、次いで、ワークに右手を添えてワークを主軸とセンタ５間から取り外す。新しいワークに交換するには、ワークを両手で持ち、ワーク左端を主軸に嵌め、ついで、左手でワークを支持し、空いた右手で締付けレバーハンドル８を反時計回りに回転させることによりセンタ５を主軸方向に前進させてワークの右端をセンタ５で拘束する。
【００３７】
寸法が異なるワークに交換するときは、先ず、第一センタ前退進機構７０クランプ７４を反時計方向に回して心押軸３ｂの前退進を可能とし、ついで、平型回転ハンドル７１を回転して長さ寸法の変わったワークの寸法増減分に見合う距離心押軸３ｂを前退進させた後、ワーク左端を両手で主軸に押し当てその後、右手で平型回転ハンドル７１を時計方向に回転させることによりセンタ５を前進させてワーク右端をセンタ先で拘束する。
【００３８】
寸法の異なるワーク取り替えによることによるセンタ軸芯Ｏ１と第一心押軸芯Ｏ２の前後のテーパ調整は、回動目盛ダイヤル１１を操作してシャフト２１を所要量回転してシャフト円筒状凹陥部２１ｃを前後方向に移動させることにより揺動杆１８下端に設けられたカムロッド１８ａを回転させて揺動杆１８の上端側リンク（基端）１８ｂに伝え、第一心押軸３ａを回動目盛ダイヤル１１の目盛回転量に応じた量回転させる。
【産業上の利用可能性】
【００３９】
ワークの太さが変わる都度、ワークの太さに応じて砥石台位置が変えられ、その太さ変化により生じたセンタ軸芯と心押軸芯の心押台前後方向のテーパ偏心を、第一心押軸に基端が固着され、半径方向に伸びる揺動杆及び該揺動杆の揺動端部を揺動方向に変位させるネジ機構を備えた心押軸を回転させる前後テーパ調整機構の回動目盛ダイヤル１１の回動で行うことが可能となった。それゆえ、心押軸のセンタ後方に延びるセンタロッドの後方にセンタを内挿する第一センタ前退進機構を設けることが可能となった。
【００４０】
同一寸法のワークの交換時は、センタの前退進を第二センタ前退進機構で行う。ワーク長さが異なる新しいワークの取り付けのときは、センタの前退進を第二センタ前退進機構で行うことができるので、センタの心押軸左端からの突出距離を変えることなく第一心押軸と第二心押軸の組み合わせの心押軸の剛性が高い機能を利用できる。
【図面の簡単な説明】
【００４１】
【図１】心押台の一部を切り欠いた正面図である。
【図２】心押台の左側面図である。
【図３】心押台の平面断面図である。
【図４】心押台の平面図である。
【図５】心押台の背面図である。
【図６】心押台の前後テーパ調整機構の断面図である。
【図７】心押台本体の案内テーブル上スライド機構の要部を示す右側面図である。
【符号の説明】
【００４２】
１    心押台本体
２    ダブテール溝面
３    心押軸
３ａ  第一心押軸
３ｂ  第二心押軸
Ｏ１  センタ軸芯
Ｏ２    第一心押軸芯
５    センタ
８    締付けレバーハンドル
９    締付けフランジ
１１  回動目盛ダイヤル
１４  滑動駒
１８  揺動杆
１８ａカムロッド
１８ｂ基端
３０  案内テーブル
５０  前後テーパ調整機構
６０  第一センタ前退進機構
７０  第二センタ前退進機構
７１  平型回転ハンドル
７４  クランプ
【図１】
0005307428.tif 000002
【図２】
0005307428.tif 000003
【図３】
0005307428.tif 000004
【図４】
0005307428.tif 000005
【図５】
0005307428.tif 000006
【図６】
0005307428.tif 000007
【図７】
0005307428.tif 000008